(57)【特許請求の範囲】
【請求項１】
無線通信網を操作する方法であって、前記操作は、
基地局が、コンテンツサーバから多くの放送番組を受信し、
加入者局が、複数の加入者局による共通の受信のための共有チャネルを介して、前記基地局からの放送番組のうちの所望の１つの入手可能性を決定する初期判断操作を実行し、
共有チャネルを介して入手可能である場合、共有チャネルを介して前記所望の放送番組の受信を開始する第１の操作シーケンスを実行し、前記第１の操作シーケンスは、前記加入者局が、前記共有チャネルを介した所望の放送番組の監視をする操作を含み、
共有チャネルを介して入手不可能である場合、単一の加入者局による使用のための専用の個別チャネルを介して前記基地局からの前記所望の番組の入手可能性を決定するフォローアップ判断操作を実行し、
個別チャネルを介して入手可能である場合、個別チャネル上で前記所望の放送番組の受信を開始する第２の操作シーケンスを実行する操作を含み、前記第２の操作シーケンスは、
対象加入者局が前記基地局に前記所望の番組を特定するサービス開始メッセージを送り、
前記サービス開始メッセージに応答して、前記基地局が前記加入者局にメッセージを送信し、前記所望の番組を受信するために前記加入者局による使用のための専用の個別チャネルを割り当て、
前記基地局が前記割り当てられたチャネル上で前記対象加入者局に前記所望の番組の送信を開始し、
前記チャネル割り当てメッセージの受信に応じて、前記対象加入者局が前記割り当てられたチャネル上で前記所望の放送番組の受信を開始する操作を含む方法。
【請求項２】
前記第１の操作シーケンスは、
前記基地局が前記所望の番組を現在共有チャネル上で送信中であるかどうかを決定し、
送信中である場合、前記加入者局が共有チャネル上で前記所望の放送番組の受信を開始し、
送信中でない場合、前記加入者局が、前記所望の放送が個別チャネルと共有チャネルの双方上で入手可能であるかどうかを決定し、
双方上で入手可能である場合、
前記加入者局がサービス開始メッセージを前記基地局に送り、かつタイマーを始動し、
前記基地局が前記サービス開始メッセージを受信して、（１）共有チャネル上で前記所望の放送番組の送信を開始する操作、（２）前記所望の番組を受信するためにメッセージを前記加入者局に送信し、前記加入者局による使用のための専用の個別チャネルを割り当て、前記対象加入者局に前記割り当てられたチャネル上で前記所望の番組の送信を開始する操作の内の一つを実行し、
前記加入者局が、（１）前記所望の放送番組を、前記共有チャネルを介して受信する操作  （２）前記チャネル割り当てメッセージの受信に応答して、前記対象加入者局が前記所望の放送の受信を開始する操作  （３）前記加入者局が前記所望の放送番組を、前記共有チャネルを介して受信することなく又はチャネル割り当てメッセージを受信することなく前記タイマーが時間切れになったら、それに反応して、前記加入者局が失敗メッセージを発行する操作の内の１つを実行し、
双方共に入手不可能な場合、
前記加入者局がサービス開始メッセージを送り、
前記基地局が共有チャネル上で前記所望の番組の送信を開始し、
前記加入者局が前記共有チャネルを介して前記所望の番組の受信を開始することを含む操作を実行することを含む請求項１記載の方法。
【発明の詳細な説明】
【技術分野】
【０００１】
本発明は、一般的には、放送コンテンツを伝達する能力を付加した無線電話網に関する。より詳しくは、本発明は、共有通信チャネル又は個別通信チャネル上で無線加入者局に対する放送コンテンツの伝達を開始することに関する。
【背景技術】
【０００２】
多くの通信システムが、情報信号を発信局から物理的に別個の宛先局に送信する。この情報信号は最初に、通信チャネル上で効率的に送信されるような形態に変換される。情報信号の変換すなわち変調には、情報信号に従って搬送波のパラメータを変更し、これで、結果として得られる変調済み搬送波が通信チャネル帯域幅内に収まるようにする動作が伴う。宛先局では、オリジナルの情報信号が、通信チャネルから受信された変調済み搬送波から複製される。このような複製動作は、一般的に、発信局が用いる変調プロセスの逆を用いることによって達成される。
【０００３】
変調することによってまた、多重アクセス、すなわち、共通の通信チャネル上でいくつかの信号を同時に送信及び／又は受信することが容易になる。多重アクセス通信システムはしばしば、共通の通信チャネルに対する持続的アクセスよりも比較的短い持続時間を持つ断続的なサービスを必要とする複数の加入者ユニットを含む。いくつかの多重アクセス技法が技術上周知であるが、その中には、時分割多重アクセス方式（ＴＤＭＡ）や、周波数分割多重アクセス方式（ＦＤＭＡ）や、振幅変調多重アクセス方式（ＡＭ）や、符号分割多重アクセス（ＣＤＭＡ）スペクトル拡散方式がある。多重アクセス通信システムは、無線方式であったり有線方式であったりするが、いずれにせよ、音声及び／又はデータを搬送する。
【０００４】
多重アクセス無線通信システムでは、ユーザ同士間の通信は、１つ以上の基地局を介して実行される。１つの例では、第１の無線加入者局上にある１人のユーザが、第２の無線加入者局上にある別のユーザと、逆方向リンク上でデータを基地局に対して送信することによって通信する。この基地局はそのデータを受信して、必要とあれば、そのデータを別の基地局にルーティングする。最終的には、そのデータは、最終の基地局の順方向リンクを介して第２の加入者局に送信される。「順方向」リンクとは、基地局から無線加入者局に対する送信のことであり、「逆方向」リンクとは無線加入者局から基地局への送信のことである。多くの通信システムでは、順方向リンクと逆方向リンクとは別々の周波数を利用している。無線加入者局上の１人のユーザと陸線局上の別のユーザとの間の通信もまた可能である。この場合、基地局は逆方向リンク上の加入者局からデータを受信し、そのデータを公衆交換電話網（ＰＳＴＮ）を介して陸線局にルーティングする。これとは逆の方向に通信することもある。前述の無線通信サービスは、「ポイントツーポイント」通信サービスの例である。それとは対照的に、「放送」サービスは情報を中央局から複数の加入者局に伝達する（「マルチポイント」）。放送システムの基本的なモデルは、１つ以上の中央局からサービスを受けるユーザを含む放送ネットから成るが、この中央局はこれらのユーザに対してニュースや、映画や、スポーツや、他の「コンテンツ」を送信する。ここで、各加入者局は共通の放送順方向リンク信号を監視する。中央局はコンテンツを固定的に決定するため、ユーザは一般に通信し返すことはない。放送サービス通信システムの一般的な用途の例としては、テレビ、ラジオ、及びそれらの類似物がある。このような通信システムは一般に、高度に特殊化している。
【０００５】
無線電話システムにおける最近の進歩によって、既存の、主としてポイントツーポイント無線電話のインフラストラクチャを用いて放送サービスを追加して伝達することに対する興味が増大している。この点で、カリフォルニア（Ｃａｌｉｆｏｒｎｉａ）州のサンディエゴ（Ｓａｎ  Ｄｉｅｇｏ）にあるＱＵＡＬＣＯＭＭ  ＣＯＲＰＯＲＡＴＩＯＮによって多くの重要な進歩がなされている。次に示す参考文献には、共有通信チャネルを用いて、無線電話網で放送コンテンツを伝達することに関するＱＵＡＬＣＯＭＭ社による様々な進歩が記載されている。
【０００６】
Ｓｉｎｎａｒａｊａｈらの名義で２００１年８月２０日に提出され、「放送通信システムにおける信号通知のための方法と装置（METHOD AND APPARATUS FOR SIGNALLING IN BROADCAST COMMUNICATIONS SYSTEM）」という題名を持つ米国特許出願第０９／９３３，９７８号と、２００２年７月９日に提出され、「通信システムにおけるマルチキャストサービス開始のための方法とシステム（METHOD AND SYSTEM FOR MULTICAST SERVICE INITIATION IN A COMMUNICATION SYSTEM）」という題名の米国特許出願第１０／１９２，１３２号と、２００１年８月２０日に提出され、「放送サービス通信システムにおける外側のデコーダの利用のための方法とシステム（METHOD AND SYSTEM FOR UTILIZATION OF AN OUTER DECODER IN A BROADCAST SERVICES COMMUNICATIONS SYSTEM）」という題名の米国特許出願第０９／９３３，９１２号と、２００１年８月２０日に提出され、「無線通信システムにおけるオーバヘッドメッセージングのための方法と装置（METHOD AND APPARATUS FOR OVERHEAD MESSAGING IN A WIRELESS COMMUNICATION SYSTEM）」という題名の米国特許出願第０９／９３３，９７１号である。これらの参考文献のすべてを、ここに参照して本開示に組み込む。
【発明の開示】
【発明が解決しようとする課題】
【０００７】
前述の出願は多くの点で満足すべきものであるとはいえ、無線放送システムに関して完全には開発されていない１つの態様は、共有放送能力と個別放送能力の双方を持つシステムにおける放送サービスの開始である。
【課題を解決するための手段】
【０００８】
無線通信網は、移動する加入者局と、コンテンツサーバから放送番組を受信する多くの基地局とを含んでいる。加入者局は、所望の放送番組が対象基地局から入手可能であるかどうか判断する。この判断にしたがって、対象加入者局は、（１）所望の番組を共有チャネル上で受信して複数の加入者局が受信するようにするか又は（２）個別チャネル上で加入者局に対して所望の番組の伝達を基地局から開始するように取り計らう。対象加入者局が所望の番組を識別するとそれから得られるメッセージに反応して、基地局は（１）共有チャネル上で所望の番組を送信し続けるか、（２）共有チャネル上で所望の番組の送信を開始するか、又は（３）対象加入者局に対してチャネル割り当てメッセージを送り、また、割り当てられた個別チャネル上で所望の番組の送信を開始する。
【０００９】
本発明の本質、目的及び長所は、次の詳細な説明を添付図面を参照して考慮すれば当業者にはより明らかになるであろう。
【発明を実施するための最良の形態】
【００１０】
（ハードウエアコンポーネントと相互接続）
（序文）
上述したように、本開示は、他のコンポーネントの中でもとりわけ様々な基地局と加入者局とを持つ無線通信網を利用するものである。基地局はその一部又は全てが、個別チャネル（各々が個別の加入者局によって専用に使用される）及び／又は共有チャネル（複数の加入者局が共通して受信するためのものである）を用いて、加入者局に対して放送コンテンツサービスを提供するようにプログラムされている。本システムとその様々なコンポーネントの全体的な設計と動作とに関するさらなる詳細を以下に示す。
【００１１】
（無線通信システム）
放送システムの例示のモデルによれば、多くの加入者局に対して１つ以上の基地局からサービスが提供されるが、この基地局は、ニュース、映画、スポーツなどの放送コンテンツを送信する。図１に、本発明の様々な実施形態で高速放送サービス（ＨＳＢＳ）が可能な通信システム１００のブロック図を示す。
【００１２】
放送コンテンツは１つ以上のコンテンツサーバ（ＣＳ）１０２から発信される。コンテンツサーバ１０２は、パソコンや、コンピュータワークステーションや、メインフレームコンピュータや、コンピュータ網や、マイクロプロセッサや他の計算設備などの１つ以上のディジタルデータ処理マシンを含み、これで、放送パケットデータサービス提供ノード（ＢＰＤＳＮ）１０６に対してインターネット接続１０４又は他の（図示しない）非インターネット網もしくは直接接続によって、パケット形式の（又は他の形式の）放送コンテンツを伝達する。ノード１０６は、実現の様式しだいで、無線電話の分野で公知のタイプのパケットデータスイッチングノード（ＰＤＳＮ）と同じ又はこれと異なったハードウエアを利用する。各パケットの宛先にしたがって、ノード１０６はパケットを適切なパケット制御機能（ＰＣＦ）モジュール１０８に伝達する。各モジュール１０８は、高速放送サービスの伝達に関わる基地局１１０の様々な機能を制御する。様々な機能の中でもとりわけ、モジュール１０８は、放送パケットを基地局１１０に転送する。各モジュール１０８は、無線電話の分野で公知であるタイプの基地局コントローラ（ＢＳＣ）と同じ又はこれと異なったハードウエアを利用する。
【００１３】
基地局１１０は、放送コンテンツと従来の無線電話コールとを加入者局１１４に伝達する。基地局１１０は、今日商業的に用いられている従来の基地局で用いられるハードウエアなどのハードウエアを用いて実現される。
【００１４】
（例示のディジタルデータ処理装置）
コンポーネント１０２、１０６、１０８、１１０及び１１４（図１）又はこれらのサブコンポーネントの内のどれか１つ以上のサブコンポーネントなどのデータ処理エンティティは、様々な形態で実現される。一例としてはディジタルデータ処理装置があるが、これは、図２ではディジタルデータ処理装置２００のハードウエアコンポーネントと相互接続として例示されている。
【００１５】
装置２００は、ストレージ２０４に結合されたマイクロプロセッサ、パソコン、ワークステーション、コントローラ、マイクロコントローラ、状態機械又は他の処理マシンなどのプロセッサ２０２を含んでいる。本例では、ストレージ２０４は高速アクセスストレージ２０６と不揮発性ストレージ２０８とを含んでいる。高速アクセスストレージ２０６は、ランダムアクセスメモリ（「ＲＡＭ」）を含み、プロセッサ２０２によって実行されるプログラミング命令を保管するために使われる。不揮発性ストレージ２０８は、例えば、バッテリバックアップＲＡＭや、ＥＥＰＲＯＭや、フラッシュＰＲＯＭや、「ハードドライブ」などの１つ以上の磁気データ記憶ディスクや、テープドライブや他の何らかの適切な記憶デバイスを含む。装置２００はまた、プロセッサ２０２が装置２００の外部にある他のハードウエアとデータを交換するための回線、バス、ケーブル、電気磁気リンク又は他の手段などの入出力部２１０を含んでいる。
【００１６】
具体的な説明を上記したが、上述の装置を本発明の範囲から逸脱することなく別の構造を持つマシンとして実現され得ることが（本開示の恩典を有する）通常の技能者には認識されよう。具体的な例として、コンポーネント２０６と２０８の一方を解消したり、さらに、ストレージ２０４、２０６及び／又は２０８をプロセッサ２０２のボード上に装備したり、さらには、装置２００の外部に装備したりされ得る。
【００１７】
（論理回路）
上述したディジタルデータ処理装置とは対照的に、本発明の別の実施形態では、コンピュータで実行される命令の代わりに論理回路を用いて、上述したような様々な処理エンティティを実現している。速度や、経費や、工具費などの分野における応用物の特定の要件しだいで、このロジックは、数千の小さい集積トランジスタを有する特定用途向け集積回路（ＡＳＩＣ）を構築することによって実現される。このようなＡＳＩＣは、ＣＭＯＳ、ＴＴＬ、ＶＬＳＩ又は別の適切な構造体で実現される。他の代替物には、ディジタル信号処理チップ（ＤＳＰ）、ディスクリート回路（例えば、抵抗体、キャパシタ、ダイオード、インダクタ及びトランジスタ）、フィールドプログラマブルゲートアレイ（ＦＰＧＡ）、プログラマブルロジックアレイ（ＰＬＡ）、プログラマブルロジックデバイス（ＰＬＤ）などがある。
【００１８】
（無線電話）
図４に、無線電話４００を示して、例示の加入者局１１４の構造をさらに示す。電話４００は、スピーカ４０８と、ユーザインタフェース４１０と、マイクロフォン４１４と、トランシーバ４０４と、アンテナ４０６と、マネージャ４０２とを、応用しだいで含まれる（又は含まれない）他のオプションとしての従来型の回路と共に含んでいる。図３から図４に関連して上述したような回路を含むマネージャ４０２は、コンポーネント４０４、４０８、４１０及び４１４の動作と、これらのコンポーネント間における信号のルーティングとを管理する。
【００１９】
無線電話４００を図示したが、加入者局はモバイル電話や静止電話でもよい。さらに、加入者局は、例えば、光ファイバ又は同軸ケーブルを用いて無線チャネルや有線チャネルを介して通信する何らかのデータデバイスを含む。無線電話及び有線電話に加えて（又はこの代わりに）、加入者局は、これに限られないが、ＰＣカード、コンパクトフラッシュ（登録商標）、外部モデムもしくは内部モデムなどを含む他の様々なデバイスを実現するように構成される。
【００２０】
（動作）
様々な構造的な特徴を述べたが、本開示の動作的な態様を一部以下に説明する。上述したように、システム１００の動作は、無線加入者局に対する共有通信チャネル又は個別通信チャネルを用いての放送コンテンツの伝達の開始に関連する。
【００２１】
（信号担持媒体）
本発明のならんかの機能性が１つ以上のマシン実行プログラムシーケンスを用いて実施される場合はいつでも、このようなシーケンスは様々な形態の信号担持媒体として実現される。図２に示す状況では、このような信号担持媒体は、例えば、ストレージ２０４又はプロセッサ２００から直接的又は間接的にアクセス可能な磁気データ記憶ディスケット３００（図３）などの別の信号担持媒体を含む。ストレージ２０６や、ディスケット３００や他のどこに含まれようと、命令は様々なマシン読み取り可能なデータ記録媒体上に記憶される。一部の例では、直接アクセスストレージ（例えば、従来の「ハードドライブ」、安価なディスクから成る冗長アレイ（「ＲＡＩＤ」）、別の直接アクセス記憶デバイス（「ＤＡＳＤ」）、磁気テープもしくは光テープなどの順次アクセスストレージ、電子式不揮発性メモリ（例えば、ＲＯＭ、ＥＰＲＯＭ、フラッシュＰＲＯＭもしくはＥＥＰＲＯＭ）、バッテリバックアップ式ＲＡＭ、光ストレージ（例えば、ＣＤ−ＲＯＭ、ＷＯＲＭ、ＤＶＤ、ディジタル光テープ）、紙「パンチ」カード、アナログ式もしくはディジタル式送信媒体及びアナログ式通信リンク及び無線通信などを含む他の適した信号担持媒体が含まれる。本発明の解説的な実施形態では、マシン読み取り可能命令は、アセンブリやＣなどのランゲージからコンパイルされたソフトウエアオブジェクトコードを含んでいる。
【００２２】
（論理回路）
上述の信号担持媒体とは対照的に、本発明の機能性の一部又は全部を、命令を実行するプロセッサの代わりに論理回路を用いて実現してもよい。したがって、一部の論理回路は、本発明の方法態様を実行するための動作を実行するように構成される。このような論理回路は、上述したような多くの様々なタイプの回路を用いて実現される。
【００２３】
（動作的詳細への序文）
上述したように、基地局１１０の一部（又は全て）がコンテンツサーバ１０２から放送コンテンツを受信するが、このコンテンツには様々な放送「番組」が含まれる。
【００２４】
加入者局は、所望の放送番組が対象基地局から入手可能であるかどうか判断する。この判断にしたがって、対象加入者局は、（１）共有チャネル上で所望の番組を受信して、これが複数の加入者局に受信されるように、又は、（２）個別チャネル上で加入者局に対して所望の番組を基地局から伝達することを開始するように取り計らう。
【００２５】
基地局の立場から見れば、動作は次のように続く。所望の番組を特定する対象加入者局からのメッセージに反応して、基地局は、（１）共有チャネル上で所望の番組を送信し続けるか又は（２）所望の番組を共有チャネル上で送信し始めるか又は（３）対象加入者局にチャネル割り当てメッセージを送り、割り当てられた個別チャネル上で所望の番組の送信を開始する。
【００２６】
（加入者局−コールモデル）
各加入者局は、図５Ａの状態図５６０にしたがって動作する。アイドリング状態５６２では、加入者局は、共有呼び出しチャネルと共有オーバヘッドチャネルとを監視するが、これについては以下にさらに詳述する。これらのチャネルは、全ての基地局がこれらのチャネルを範囲内にある全ての加入者局に放送するという意味では共有されている。簡潔に言えば、共有呼び出しチャネルは、加入者局に対してコールが着信したことを通知し、また、共有オーバヘッドチャネルは様々なシステム関連情報を供給する。アイドリング状態５６２では、加入者局は、さらに加えて、放送コンテンツを基地局から１つ以上の共有放送チャネルを介して受信する。アイドリング状態５６２では、加入者局の送信機はオフされる。
【００２７】
１つの場合、アイドリング５６２からアクセス５６４への遷移５６３は、加入者局が登録メッセージを送って、近傍の基地局に対して、加入者局の存在、アイデンティティ、特徴などを通知する。この場合、アクセス状態５６４は、登録メッセージの後でアイドリング５６２に遷移して（５６１）戻る。
【００２８】
別の状況では、アイドリング５６２からアクセス５６４への遷移５６３は、加入者局または別の当事者によるポイントツーポイントコールが確立している間に発生する。一例として、別の当事者がそのコールを開始すると、加入者局は共通の呼び出しチャネルから呼び出しメッセージを受信する。加入者局が共通の「アクセス」チャネルでその呼び出しに答えると、加入者局は、ポイントツーポイントコールが実行されるトラフィックチャネルの割り当てを受信する。加入者局は、アクセスチャネル上に適切なメッセージを送出し、次に、同じようにしてチャネル割り当てを受信することによって発信コールを開始する。
【００２９】
アクセス５６４からトラフィック５６６への遷移５６５は、着信コール又は発信コールが通過するときと、加入者局と基地局がトラフィックチャネル上で通信し始めるときに発生する。トラフィック状態５６６では、加入者局は個別のトラフィックチャネルを利用して、別の当事者とポイントツーポイント通信を実行する。この新たに開始されたポイントツーポイントコールは、以下に説明するように音声、データ又は放送情報でさえも伝える。このポイントツーポイントコールが放送コンテンツを搬送する場合、このコールは、加入者局がアイドリング状態５６２で前に受信していたいかなる共有放送とも置き換わる。
【００３０】
トラフィック５６６からアイドリング５６２に戻る遷移５６７は、ポイントツーポイントコールがいずれかの当事者によって終了させられるか又は接続が別様に切断されると発生する。遷移５６７が発生すると、ポイントツーポイントコールを実施するために用いられたトラフィックチャネルが開放される。このポイントツーポイントコールが放送コンテンツを含んでいる場合、遷移５６７の結果、オプションとして、アイドリング状態５６２で共有チャネルを介して放送コンテンツの伝達が再開されることになる。
【００３１】
（チャネル）
図５Ｂから５Ｄに、上記のアイドリング状態、アクセス状態、トラフィック状態中において加入者局と基地局との間で情報を中継するために用いられる一次通信チャネルの一部を説明する。本開示の放送チャネルは、データ、オーディオ、ビデオ又は他の何らかの所望のコンテンツを中継するために利用される。
【００３２】
「通信チャネル／リンク」とは、コンテンツに従った物理チャネル又は論理チャネルのことである。「物理チャネル」とは、変調特徴及びコーディングに関して記載される、信号が伝播する通信経路を意味する。「論理チャネル」とは、基地局か加入者局のプロトコル層内の通信経路を意味する。「逆方向チャネル／リンク」とは、加入者局が基地局に信号を送る際に通過する通信チャネル／リンクを意味する。「順方向チャネル／リンク」とは、基地局が加入者局に信号を送る際に通過する通信チャネル／リンクを意味する。
【００３３】
（アイドリング状態）
図５Ｂはアイドリング状態に対応している。基地局５０４は、加入者局５０２とその基地局からサービスを受けている他の全ての加入者局によって受信されるようにオーバヘッドチャネル５０５を送信する。オーバヘッドチャネル５０５は、隣接する基地局に関する情報などの周期的に繰り返すシステム情報と、アクセス情報（例えば、推奨される出力レベル、最大メッセージサイズなど）と、システムパラメータ（製品のリビジョンレベル、サポートされている特徴など）とを含んでいる。ＣＤＭＡ−２０００システムでは、オーバヘッドチャネル５０５は放送制御チャネル（Ｆ＿ＢＣＣＨ）を備えている。
【００３４】
一例として、オーバヘッドチャネル５０５のコンテンツは放送システムパラメータ（ＢＳＰＭ）を含むが、これは、共有チャネル及び／又は個別チャネル上で入手可能な互いに異なった各々の放送番組を指定する。「番組」とは、ＣＮＮニュースや、ＥＳＰＮや、天気情報などの放送コンテンツの特定のストリームである。ＢＳＰＭは、どの番組が基地局の各々の共有チャネル上にあるか（及び周波数や他のチャネルのアイデンティティ）を示し、また、どの番組を個別チャネル（この個別チャネル上でサービスを確立するときに決定される特定の周波数を持っている）上で得ることが可能であるかを示す。ＢＳＰＭもまた、図９を参照して以下にさらに詳述するように、ある種の他の情報をリストアップする。
【００３５】
基地局５０４はまた、この基地局からサービスを受けているすべての加入者局によって受信されるように共有呼び出しチャネル５０６を送信する。基地局５０４からサービスを受ける加入者局はすべて、呼び出しチャネル５０６を監視し、これで、自分宛のポイントツーポイントコール又は他の情報が到達次第警告を受けることが可能となるようにしている。ＣＤＭＡ−２０００においては、呼び出しチャネル５０６は、順方向制御チャネル（Ｆ＿ＣＣＣＨ）として例示されている。
【００３６】
共有放送チャネル５０８は、基地局の範囲内にある加入者局によって用いられるように基地局５０４によって送信される潜在的に多くの共有放送サブチャネル（並行チャネル）を包含している。概して、通信システム１００は、高いデータレートが可能であり、また、多くの加入者局によって受信されることに適している順方向放送補足チャネル（Ｆ＿ＢＳＣＨ）を導入することによって高速放送サービスを可能とするものである。この「順方向放送補足チャネル」とは、放送トラフィックを搬送する単一の順方向リンク物理チャネルを含んでいる。１つ以上の高速放送サービスチャネルは、この単一の順方向放送共有チャネル内で時分割多重されている。したがって、チャネル５０８は、互いに異なった多くの放送番組を同時に搬送する。
【００３７】
共有放送チャネル５０８は、全ての加入者局に対して自由に入手可能であるか、又は、ある登録ステップを完了した加入者局だけに限られるかである。チャネル５０８は範囲内にあるすべての加入者局に対してあまねく放送されるため、加入者局は、結局のところ、ユーザがその放送にアクセスすることが可能であるかどうかを管理する、すなわちユーザが登録しているかどうかには基づかない。一例として、共有放送チャネルは各々が所定のコードで暗号化されており、このコードは登録済みの加入者局に対して提供されるだけとなっている。
【００３８】
放送サービスへの登録のメカニズムは、その全体をここに組み込む次の参考文献中に記載されている。２００２年８月２０日に提出された、「無線通信システムにおける放送サービスオプションの帯域外送信の方法と装置（METHOD AND APPARATUS FOR OUT OF BAND TRANSMISSION OF BROADCAST SERVICE OPTION IN A WIRELESS COMMUNICATION SYSTEM）」という題名の米国特許出願第０９／９３４，０２１号。この出願中、共有放送チャネル５０８は、順方向放送補足チャネル（Ｆ＿ＢＳＣＨ）と呼ばれている。
【００３９】
（アクセス状態）
図５Ｃはアクセス状態に対応している。加入者局５０２はオーバヘッドチャネル５０５、呼び出しチャネル５０６及び共有放送５０８チャネルを受信し続ける。共有アクセスチャネル５２２は、基地局５０４からサービスを受けている全ての加入者局によって用いられる。ポイントツーポイントコールを開始するには、アクセスチャネル５２２を２つの方法で用いればよい。着信コールの場合、加入者局５０２は、この加入者局５０２に対して別の局がポイントツーポイントコールを開始するときにアクセスチャネル５２２を用いて呼び出しに応答する。発信コールの場合、加入者局５０２はアクセスチャネル５２２を用いて、ポイントツーポイントコールの開始を要求する。ＣＤＭＡ−２０００プロトコルでは、アクセスチャネル５２２は、逆方向アクセスチャネル（Ｒ＿ＡＣＨ）と例示されている。アクセス状態５６４の間、加入者局５０２は共有放送５０８を監視し続ける。
【００４０】
ポイントツーポイントコールを開始する際とは別に、加入者局５０２は、登録メッセージをときおり送信する際にアクセスチャネル５２２を用いたりする。これによって、無線ネットワークは加入者局５０２のロケーションを、他の何らかの関連情報と共に通知される。登録メッセージ又は他の類似のメッセージがアクセス状態５６４中に発生した場合、加入者局５０２は、トラフィック状態５６６にはならずに、アイドリング状態５６２に復帰する。
【００４１】
（トラフィック状態）
図５Ｄはトラフィック状態５６６に対応している。この状態では、トラフィックチャネル５５２と５５４は共同して、加入者局５０２と基地５０４間で二方向ポイントツーポイントコールデータを伝える。チャネル５５２と５５４は、加入者局５０２による個別使用のために専用チャネルである。「論理」チャネルである順方向トラフィックチャネル５５２は、トラフィックコンテンツチャネル５５２ａやトラフィック信号通知チャネル５５２ｂなどの並行物理チャネルを含んでいる。トラフィックコンテンツチャネル５５２ａは、基地５０４から加入者局５０２に運ばれる音声情報やデータなどのコンテンツを搬送する。トラフィック信号通知チャネル５５２ｂは、ハウスキーピングや、メタデータや、システムの情報や、チャネル５５２ａ及び／又はこれのコンテンツを記述する他の情報などの信号通知情報を搬送する。代替の実施形態では、チャネル５５２ａと５５２ｂは、上述したような並行チャネルではなく互いに無関係である。逆方向トラフィックチャネル５５４はまた、並行なトラフィックコンテンツチャネル５５４ａと信号通知チャネル５５４ｂとを含み、これで、チャネル５５２の逆方向における通信を実行する。
【００４２】
トラフィック状態では、加入者局はアクセスチャネル５２２や、オーバヘッド５０５や、呼び出しチャネル５０６は用いないが、それはこの情報がこれらのチャネルの代わりに専用の信号通知チャネル５５２ｂと５５４ｂ上で運搬されるからである。
【００４３】
トラフィック５６６中では、加入者局５０２は放送コンテンツを受信し続ける。しかしながら、ポイントツーポイントコール５５２／５５４と共に放送コンテンツを同時に伝達する動作は、共有チャネル５０８ではなく一方向のポイントツーポイントチャネル５５６上で必ず実行される。これは主として、モバイル局が正しく動作するために必要とされる信号通知手順と制御手順がアイドリングチャネルとトラフィックチャネルとでは著しく異なっており、したがって、モバイル局はどの時点においてもこの２つの状態の内の一方にしか存在し得ないからである。したがって、トラフィックチャネル５５２と５５４の使用中は、この時間中におけるいかなる放送情報の交換もかならず、トラフィックチャネル５５６上で発生し、コンテンツは５５６ａで発生し、信号通知は５５６ｂ上で発生する。
【００４４】
一般に、ポイントツーポイントコールに適すかぎり、どの順方向リンクチャネルを個別放送チャネル５５６用に用いてもよい。これ以外にいくつかの具体的なオプションが次に示すように提示されている。１つのオプションは、例えばＣＤＭＡ−２０００を用いるものであり、順方向基本チャネル（Ｆ＿ＦＣＨ）又は順方向専用制御チャネル（Ｆ＿ＤＣＣＨ）である。このチャネルのレートは１４．４ｋｂ／ｓである。別のオプションは順方向補足チャネル（Ｆ＿ＳＣＨ）であり、このレートは最大で１Ｍｂ／ｓである。さらに高速のオプションとして、順方向パケットデータチャネル（Ｆ＿ＰＤＣＨ）があるが、このレートはさらに高速の最大２．４Ｍｂ／ｓである。
【００４５】
加入者局５０２が単に１つの基地局と通信するだけのアイドリング状態５６２とアクセス状態５６４とは異なって、トラフィック中の加入者局５０２はソフトハンドオフを達成するために同時にトラフィック及び放送のコンテンツと信号通知情報とを複数の基地局と交換して、これで信号の冗長性を得たり他の目的を達成したりする。したがって、（本開示の恩典を有する）通常の技能者は、本開示において、「基地局」と（単数形で）言及するのは、簡潔さのためと議論しやすくするためであることを認識するであろう。加入者局は、複数の基地局と同時に通信する。
【００４６】
加えて、加入者局５０２が複数の二方向電話会話をトラフィックチャネル５５２と５５４上で同時に実行するための技法が周知である。このような技法では、例えば、様々なデータストリームを時間多重化し、これで、所与のチャネルが２つ以上のストリームを搬送することを可能とする。本開示では、類似の技法を用いて、加入者局５０２が、複数の同時放送番組を個別チャネル５５６上で受信することが考えられている。
【００４７】
（さらなる情報）
高速放送サービスで用いられる物理チャネルと論理チャネルは、その全体をここに参照して組み込む次の参考文献中でより詳細に解説されている。（１）ＩＳ＿２０００．２として知られるＣＤＭＡ２０００物理層基準と、（２）２００１年８月２０日に提出され、「放送通信システムにおける信号通知のための方法と装置（METHOD AND APPARATUS FOR SIGNALING IN BROADCAST COMMUNICATION SYSTEM）」という題名の米国特許出願第０９・９３３，９７８号である。情報の放送のための共通チャネルと専用チャネルを用いることは、その全体をここに参照して組み込む次の参考文献中に開示されている。２００１年３月２８日に提出され、「無線網で専用チャネルと共通チャネルを用いるグループコールのための方法と装置（METHOD AND APPARATUS FOR GROUP CALLS USING DEDICATED AND COMMON CHANNELS IN WIRELESS NETWORKS）」という題名の米国特許出願第６０／２７９，９７０号である。
【００４８】
（ＢＳＰＭ）
上述したように、基地局はＢＳＰＭをオーバヘッドチャネル５０５を介して繰り返し放送し、この基地局の入手可能な放送コンテンツと関連情報とを加入者局に通知する。図９に、例示のＢＳＰＭ９００を示す。理解しやすいように表形式で表してあるが、ＢＳＰＭは実際には、ヘッダ、トレーラ、パケット情報又は他のメタデータと無線放送にとって適切な出力書式とを含む信号のストリームを含んでいる。
【００４９】
図９に示すように、ＢＳＰＭ９００は、各々が異なったカテゴリの情報を現している様々なカラムを含んでいる。カラム９００は、チャネルのコンテンツ、すなわちそのチャネルの「放送番組」をリストアップしている。カラム９０６は、基地局がプログラムされているか、構成されているか、又は個別チャネル上で対象番組を提供する能力を別様に備えているか、すなわち、対象番組が個別チャネル上で「入手可能」であるかどうかを示す。
【００５０】
カラム９０８は、対象番組を共有チャネル上に提供するため対象基地局が備えられているか、すなわち、対象番組が基地局から共有チャネルを介して「入手可能」であるかどうかを示す。カラム９０４は、ウォルシュコード、変調タイプ、ビタービコーディング、データレート、誤り訂正などの対象番組を放送するために用いられる共有チャネルの様々な特徴をリストアップしている。カラム９０９は、対象番組を放送するために用いられる共有チャネル（適用可能であれば）のアイデンティティ、すなわち、対象基地局によって用いられる論理周波数及び／又は物理帯域幅をリストアップする。カラム９１０は、基地局が共有チャネル９０９上で現在対象番組を放送中であるかどうかを示す。
【００５１】
ＢＳＰＭは、様々な他の情報を含むように拡大されたり、また同様に、上にリストアップしたある情報を除外するように省略されたりする。例えば、基地局はデマンドの際にチャネルアイデンティティ９０９を提供して、ＢＳＰＭ９００を短縮化してオーバヘッドチャネル５０５上の帯域幅を節約する。同様に、「現在送信中」カラム９１０が省略され得るが、それは、加入者局が試行錯誤を用いて、基地局が共有チャネル上で特定の番組を送信中であるかどうか判定するからである。
【００５２】
さらに、以下に述べるように、ＢＳＰＭは完全に省略され得る。別のオプションとして、ＢＳＰＭの唯一のコンテンツは、放送サービスが一般に入手可能であることを示すフラグ（図示せず）であり、加入者局の問い合わせがあり次第基地局からさらなる情報が入手可能である。
【００５３】
（序説）
図６に、無線通信網において放送番組が入手可能であるかを判別することに関連する動作を示すシーケンス６００を示す。動作６００の後にさらに動作７００（図７に示すように放送サービスが専用通信チャネルを介して入手可能とされるサービスを確立する）と動作８００（図８に示すように所望の放送サービスが共有通信チャネルを介して入手可能とされるサービスを確立する）が続く。
【００５４】
説明しやすいように、しかしなんら制限する意図なく、図６から８の例を図１から４のハードウエアコンポーネントという文脈で説明する。また、説明しやすいように、シーケンス６００、７００及び８００を、１つの基地局（「対象となる」基地局）と１つの加入者局（「対象となる」加入者局）間における例示の取引という文脈で検討する。この対象基地局は、これらのシーケンスを他の加入者局と一緒に、同時に繰り返す。同様に、対象基地局以外の他の基地局もまた、これらの加入者局の内のどれかと一緒に図示のシーケンスを実行する。さらに、他の加入者局は、これらのシーケンスを対象基地局及び／又は他の基地局と一緒に繰り返す。
【００５５】
（サービスの入手可能性を判定する（図６））
上述したように、シーケンス６００は、無線通信網での放送番組の入手可能性を判定することに関連する動作を示している。
【００５６】
（コンテンツの供給）
ステップ６０２で、対象基地局はコンテンツサーバ１０２から発信される放送コンテンツを受信する。この放送コンテンツには、各々が互いに異なった情報ストリームを含む１つ以上の放送番組を含んでいる。これらの放送番組は、コンテンツサーバ１０２によってバッファリングされる、すなわち、これらの番組はリアルタイムで発生する。１つの実施例では、対象基地局は、各番組を１つの情報ストリームという形態で受信し、すると、基地局はこのストリームを分割又は複製して、別々のチャネル上で番組を受信している加入者局の数に対応して必要とされる数だけ別々のストリームを提供する。別の実施例では、対象基地局は、その番組を互いに異なったチャネル上で受信している各加入者局に対する別々の情報ストリームを受信し、したがって、基地局は、個別チャネル上で特定の番組を要求している加入者局が１０あれば１０のストリームを受信する。この例では、番組は、帯域幅の節約、速度、ハードウエア利用可能性、経費、及び他の要因しだいでレベル１０２、１０６及び１０８の内のどれか１つのレベルで複製される。
【００５７】
図示するように、ステップ６０２は、対象基地局が新しい放送コンテンツを持続的に受信し続けるので繰り返される。オプションとして、システムの帯域幅と他のリソースを節約するために、基地局は、放送番組を要求する加入者局が何もない場合はいつでも放送コンテンツの受信を停止することを選択する。
【００５８】
ステップ６０２の後では、対象加入者局は対象基地局と協働して、これのユーザの所望の番組が（もしあれば）、その基地局から入手可能であるかどうか判断する。互いに異なった３つのシーケンスが図示されているが、その各々が、本開示の互いに別個の実施形態を構成している。１つのシーケンスは、ステップ６０４、６０６、６２０及び６２２を含んでいる。第２のシーケンスはステップ６０８、６１０、６１２及び６１９を含んでいる。第３のシーケンスはステップ６１４、６１６及び６１８を含んでいる。
【００５９】
（番組の入手可能性を判断する−オプション１）
シーケンス６０４／６０６は次のように進行する。ステップ６０４で、基地局と対象加入者局は、加入者局に対して対象基地局から放送番組の入手可能性について通知する番組情報を交換する。より具体的に言うと、ステップ６０４で基地局は、その反復ＢＳＰＭをオーバヘッドチャネル５０５（図５Ｂ）上で送信する。入手可能番組のリストアップ（例えば図９のカラム９００）は放送ラインアップと呼ばれる。反復ＢＳＰＭは、オーバヘッドチャネル５０５の他の全てのコンテンツと一緒に、基地局の範囲内にある全ての加入者局に対してあまねく放送される。
【００６０】
ステップ６０６では、加入者局は、そのユーザが放送番組を選択し始めたかどうか判定する。例えば、ユーザは加入者局のキーパッドを操作して、加入者局のビデオディスプレイによって提示される番組のリストアップ（放送ラインアップのコピーを含む）をスクロールしたりする。ユーザが番組を選択すると、ステップ６０６は、以下に説明するステップ６２０に進む。
【００６１】
（番組の入手可能性を判断する−オプション２）
第２のシーケンス６０８／６１０／６１２は次のように進行する。ステップ６０８で、基地局は「簡略化された」ＢＳＰＭを送信するが、このＢＳＰＭは、フラグ又は他のインジケータを利用して、放送番組が個別チャネル上でソース基地局から入手可能であるという事実を簡潔に反映するものであり、この簡略化されたメッセージは、アイデンティティや放送番組に関する他の情報をリストアップするものではない。この実施形態では、基地局は、共有チャネル上で放送コンテンツを提供するために備えられているわけではない。ステップ６０８で、加入者局はまた、簡略化されたＢＳＰＭを受信して、放送番組が対象基地局から入手可能であるかどうかに気付く。
【００６２】
ステップ６１０で、加入者局は、これのユーザが、例えば適切なメニューエントリを入力し、電話ボタンを押し、ネットワークに対して所定のコールをしたりすることなどによって放送番組を選択し始めたかどうか判定する。次に、ステップ６１２で、加入者局は基地局に対して放送番組全体のラインアップについて問い合わせ、更新された番組のリストアップをユーザに対して（例えば、キーパッドで起動されるスクロールメニューという形態で）提示し、ユーザの選択した番組を受信する。ステップ６１２の後で、ルーチン６００は、以下に説明するステップ６１９に進む。
【００６３】
しかしながら、放送番組が対象基地局から入手不可能であることに加入者局が（ステップ６０８でＢＳＰＭを受信した際に）前もって気付いている場合には、ステップ６１２はスキップされる。この場合、加入者局と基地局との間でステップ６１０の情報を交換する必要はない。したがって、ステップ６１０は直接ステップ６１９（以下に説明する）に進み、ここで、加入者局は、所望の番組は入手不可能であると結論する。
【００６４】
（番組の入手可能性を判断する−オプション３）
シーケンス６１４／６１６は次のように進行する。このシーケンスでは、基地局はＢＳＰＭ、又は簡略化されたＢＳＰＭでさえ放送しない。これは、デマンドベースの方式である。すなわち、ステップ６１４で、加入者局は、例えば、これのユーザが、適切なメニューエントリを入力し、電話ボタンを押し、コールをしたりすることなどによって放送番組を選択し始めたかどうか判定する。この時点で、加入者局はステップ６１６を実行する。ステップ６１８で、加入者局は、基地局に対して放送ラインアップについて問い合わせ、この番組リストアップをユーザに提示し、ユーザの選択した番組を受信する。ステップ６１６の後で、ルーチン６００は、以下に説明するステップ６１８に進む。
【００６５】
（同時放送番組）
一実施形態では、対象基地局と加入者局とは、マルチキャスト放送サービスを取り扱う、すなわち、同じ共有／個別のタイプの複数の放送番組を同時に実行するために備えられている。例えば、加入者局は複数の共有チャネルを同時に受信する。この実施形態では、ステップ６０６、６１０及び６１４は、図６に示すシーケンス６００の図示のフローとは無関係に、どの時点でも開始され得る。
【００６６】
（番組の入手可能性についての結論）
それぞれのシーケンス６０４／６０６、６０８／６１０／６１２又は６１４／６１６の後に、それぞれのステップ６２０、６１９及び６１８が、ユーザの要求する番組が入手可能であるかどうか判定するために存在している。これらのステップは次のように発生する。
【００６７】
ステップ６１６（以下に説明する）の次にステップ６１８が続く。ステップ６１８で、加入者局は、（ステップ６１６で得られた）基地局からの放送ラインアップ情報を見直して、ユーザの要求した番組（ステップ６１６で特定されている）が対象基地局から入手可能であるかどうか判定する。入手可能でなければ、ルーチン６００はステップ６１１を実行し、ここで、加入者局は適切なメッセージを発行して、そのユーザに対して、要求した番組が入手不可能であることを通知する。次に、ステップ６１１の後で、ルーチン６００はステップ６１４に復帰する。所望の番組が入手可能であれば、ステップ６１８はステップ７２０に進む（図７参照、以下に説明する）。
【００６８】
ステップ６１６とは対照的に、ステップ６１２（又は、スキップ６１２がスキップされた場合はステップ６１０）の後にステップ６１９が続く。ステップ６１９で、加入者局は基地局からの情報（ステップ６１２で得られた）を見直して、ユーザが要求した番組（ステップ６１０で特定されている）が対象基地局から入手可能であるかどうか判定する。放送番組が一般に（ステップ６０８でＢＳＰＭによって示されているように）対象基地局から入手可能ではないと加入者局が気付いている場合には、ステップ６１９はステップ６１１に進む。ステップ６１９もまた、放送番組が基地局から入手可能であるが、基地局が、問い合わせの際（ステップ６１２）に、ユーザの特定の番組が入手可能ではないことを明らかにした場合には「いいえ」という回答をする。
【００６９】
ステップ６１１で、加入者局は適切なメッセージを発行して、これのユーザに対して要求した番組が入手不可能であることを通知する。次に、ステップ６１１の後で、ルーチン６００はステップ６１０に復帰する。所望の番組が入手可能であれば、ステップ６１９はステップ７２０（図７参照、以下に説明する）に進行する。
【００７０】
ステップ６１６と６１２とは対照的に、ステップ６０６の後にステップ６２０が続く。ステップ６２０で、加入者局は基地局からの（ステップ６０４で得られた）情報を見直して、ユーザが要求した番組（ステップ６０６で特定されている）が対象基地局から入手可能であるかどうか判定する。入手可能でなければ、ルーチン６００はステップ６１１を実行し、ここで、加入者局は適切なメッセージを発行して、これのユーザに対して、要求した番組が入手不可能であることを通知する。次に、ステップ６１１の後で、ルーチン６００はステップ６０６に復帰する。所望の番組が入手可能であれば、ステップ６２０はステップ６２２に進み、ここで、加入者局は、番組が共有チャネル上で入手可能であるかどうか判定する。これは、ステップ６０４からのＢＳＰＭのコンテンツを見直すことによって判定される。所望の番組が共有チャネル上で入手可能であれば、ステップ６２２の後に図８のステップ８００（以下に説明する）が続く。所望の番組が個別チャネル上で入手可能であれば、ステップ６２２の後に図７のステップ７２０（以下に説明する）が続く。
【００７１】
（個別放送の受信を確立する（図７））
（序説）
上述したように、図７は、試験もしくはＢＳＰＭ（ステップ６２２）、ＢＳＰＭのキャラクタ（ステップ６０８）又はＢＳＰＭが存在しない（ステップ６１４）ことのいずれかによって放送サービスが共有チャネルからは入手不可能であることが分かった場合における、個別チャネル上で放送サービスを確立する動作７００を示している。動作７００は、ステップ６１９及び６１８（個別放送だけの実施形態であり、この場合、所望の番組は入手可能である）又はステップ６２２（個別放送／共有放送実施形態であり、この場合、共有放送は基地局から入手不可能である）から継続される。
【００７２】
（サービス開始メッセージ）
ステップ７２０では、加入者局は「サービス開始」要求を基地局に送って、所望の放送番組の受信を開始する。例えばＣＤＭＡ−２０００の文脈では、この要求は発信メッセージ、すなわち、ポイントツーポイントコールを開始するために通常用いられるタイプのメッセージを含んでいる。ＣＤＭＡ−２０００発信メッセージは、ポイントツーポイントコールを確立する際に適切な基地局を選ぶために必要とされる１つ以上のパイロット信号強度報告と一緒に送られる。例えば、このようなパイロット信号強度報告は基地局によって用いられて信号強度や基地局の「アクティブなセット」を加入者局が受信した信号に従って調整する。
【００７３】
別のオプションとして、登録メッセージ、すなわち、パイロット信号強度報告が通常伴わない、したがって、加入者局がどこに存在するかを基地局に通知するために用いられるのに適したメッセージタイプを用いるオプションがある。どちらの場合も、ステップ７２０の発信メッセージや登録メッセージは、フラグ、インジケータ、フィールド、アデンダムもしくは加入者局がポイントツーポイント接続で放送番組を受信することを希望していることを示す他のデータとその番組のアイデンティティとを含んでいる。ＣＤＭＡ−２０００を含む無線通信の様々な基準下における残ったフォーマット、コンテンツ及びこのようなメッセージの用法は、公知である。
【００７４】
オプションとして、ステップ７２０のサービス開始メッセージを送る前に、加入者局が、要求のあった放送番組に対してユーザが登録されているかどうかを、例えば、ユーザが登録を完了している番組のリストに照らして番組を照合することによって検証するというオプションがある。登録リストは、加入者局、基地局又は別の適切なサイトに保管される。
【００７５】
（放送）
ステップ７２２で、対象基地局は、例えば、コンテンツサーバ１０２から（一実施形態では）対応する情報ストリームのコピーをもう一枚要求することによって又は対象加入者局に対する要求番組の情報ストリームを複製することによって対象放送番組を送信する準備をする。
【００７６】
オプションとして、ステップ７２２で所望の番組の送信を開始する前に、基地局は、要求の放送番組を受信するべくユーザが登録されているかどうか検証する。これは、例えば、ユーザが登録を完了している番組のリストに照らして照合することによって達成される。登録リストは、基地局や、中央の記録施設や、別の適切なサイトに保管される。
【００７７】
番組の送信準備がなされ、（そうすることが妥当であれば）ユーザの登録が検証された後で、基地局が所望の番組を割り当てられたチャネル上で送信開始する（ステップ７２２）。また、基地局は、チャネル割り当てメッセージ中でこのチャネルを加入者局に対して具体的に識別し、これで、加入者局が放送の受信を開始できるようにする（ステップ７２２）。このチャネル割り当てメッセージはまた、データレート、誤り訂正、外部コーディング及び他の細目などの、用いられる個別のチャネルの他の細目を含んでいるが、これらの細目の一部又は全てが、「サービスオプション」又は事前に決められた意味を持つ他の省略されたコードを引証することによって指定される。
【００７８】
（受信）
ステップ７２４で、加入者局はこれのトランシーバを調整して、基地局が送信した所望の番組を割り当てられたチャネル上で受信する。したがって、ステップ７２２／７２４で、個別のポイントツーポイントのトラフィックチャネル上で、基地局は所望の放送番組の送信を開始し、また、加入者局は受信を開始する。
【００７９】
ステップ７２６で、基地局と加入者局は放送番組の送信と受信を継続する。この時間中、放送のラインアップに関して加入者局に更新内容を提供する様々なオプションが存在する。これは加入者局にとって役に立つことが可能であるが、それは、トラフィックモード中、加入者局は、オーバヘッドチャネル５０５を監視することが不可能であり、したがって、ＢＳＰＭのコンテンツは加入者局に対しては入手可能ではない。
【００８０】
一実施形態では、ステップ７２６で基地局は、割り当てられた個別のチャネルに「並列な」チャネル上で、すなわち、このチャネルと関連し、これとは異なった物理チャネル上でＢＳＰＭ全体をときおり繰り返す。これは、周期的な又は非周期的なスケジュールで又は所定の刺激に反応して又は別のスケジュールにしたがって発生する。
【００８１】
ステップ７２６の別のオプションによれば、ＢＳＰＭはハンドオフが発生するといつでも繰り返される。すなわち、対象加入者局がハンドオフするのを見越して、対象基地局が目標基地局とあるハンドオフパラメータを交渉すると、対象基地局はさらに、目標基地局の放送ラインアップを得る。次に、ハンドオフ中に加入者局に運搬された他の従来のメッセージと一緒に、対象基地局はさらに、目標基地局の放送番組のラインアップを送信する。
【００８２】
ステップ７２６のさらに別の実施形態では、対象基地局は放送情報の更新内容を加入者局に対して、要求のあり次第又は所定のイベントもしくは状態に反応して又は別のことに基づいて提供する。
【００８３】
ステップ７２８では、現行の個別チャネルの接続が終了したかどうか質問されるが、この接続の終了は、ユーザが現行の番組の受信を停止することを選んだ場合、コールを中断した場合、無線網がなんらの管理上の理由によって接続をキャンセルした場合に発生し得る。接続が終了しなかった場合、ステップ７２６で放送は継続される。しかしながら、ステップ７２８で、現在のコールが終了したものと判定されれば必ず、ステップ７２８はステップ６０４、６０８及び６１４の内の１つに適宜復帰して、おそらく別の放送接続を開始する。
【００８４】
（共有放送の受信を確立する（図８））
（序説）
上述したように、図８に、所望の番組が共有通信チャネルを介して入手可能であることを加入者局が気付いた（ステップ６２２）場合に、放送サービスを確立する動作８００を示す。動作８００は、図６に示し、また上述したようにステップ６２２から継続している。
【００８５】
ステップ８０１で、加入者局は、対象基地局が現在所望の番組を共有チャネル上で送信中であるかどうかたずねる。これは、加入者局がＢＳＰＭ９００と、特にカラム９１０からの情報（ＢＳＰＭにこのような情報が備わっていれば）を見直すことによって、又は代替例では、ＢＳＰＭ９００中で特定されている共有チャネル９０９上で所望の番組を受信することを試行することによって判定される。対象基地局が現在対象番組を送信中であれば、加入者局は登録メッセージをステップ８１８で送る。このメッセージは、基地局に対して加入者局の存在、アイデンティティ、特徴などを通知する。オプションとして、登録メッセージには、フラグ、インジケータ、フィールド、アデンダム、又は加入者局が所望の放送番組を共有チャネル上で監視して、どの加入者局がどの共有チャネルを監視しているかを基地局が追跡するのを手助けすることを意図していることを示す他のデータが含まれる。発信メッセージとは反対に、登録メッセージが適しているがそれは、ポイントツーポイントコールを開始することを目的とする、パイロット信号強度報告などの不必要なコンテンツを含まないからである。ステップ８１６で、加入者局は、指定された共有チャネル上で所望の番組を監視し始める。
【００８６】
代替例では、基地局が現在対象番組を共有チャネル上で送信中ではないことを加入者局が気付いた場合、ステップ８０２が実行される。ここで、加入者局は、所望の番組が基地局から共有チャネルと個別チャネルの双方上で入手可能であるかどうか判定する。この情報はＢＳＰＭから及び、特にカラム９０６と９０８から入手可能である。
【００８７】
所望の番組が共有チャネルによってしか入手可能でない場合、ステップ８０２はステップ８１０に進む。この状況下では、基地局は所望の番組を共有チャネルを介して提供することが可能であるが、現時点ではそうすることはない。ステップ８１０で、加入者局はサービス開始メッセージを送る。１つの例では、サービス開始メッセージは、基地局に対して加入者局の存在、アイデンティティ、特徴などを通知する登録メッセージを含んでいる。登録メッセージはフラグ、インジケータ、フィールド、アデンダム、又は加入者局が共有チャネル上で所望の放送番組を受信することを求めていることを示す他のデータを含んでいる。このフラグが契機となって、基地局は（以下に説明するように）、共有放送を開始し、また、基地局が、どの加入者局がどの共有チャネルを監視しているかを追跡する手助けとなる。発信メッセージとは反対に、登録メッセージが適しているがそれは、ポイントツーポイントコールを開始することを目的とする、パイロット信号強度報告などの不必要なコンテンツを含まないからである。ステップ８１０で、加入者局はまた、「タイムアウト」タイマーを始動する。
【００８８】
ステップ８１１で、基地局は加入者局の登録メッセージと要求とを受信して、所望の番組の送信を適切な共有チャネル上で開始する。ステップ８１２で、加入者局は、それが、タイムアウトタイマーが事前設定された、３０秒あるいは別の時間期間などの時間切れに達する以前に所望の番組の放送を受信し始めたかどうか判定する。受信し始めていなければ、ステップ８１２はステップ８１４に進み、ここで加入者局は「サービス入手可能」メッセージをこれのユーザに対して発行する。他方、基地局が計画通り８１１で送信を開始していれば、ステップ８１２で回答は「はい」となり満たされ、加入者局はステップ８１６で所望の番組の受信を開始する。
【００８９】
ステップ８１０から８１２とは対照的に、加入者局が、所望の番組が共有チャネル及び個別チャネルの双方を介しても入手可能であると判定すれば、ステップ８０２はステップ８０４に進む。この場合、ステップ８０４で加入者局はサービス開始メッセージを送る。一例として、サービス開始メッセージは、発信メッセージ、すなわち、ポイントツーポイントコールを開始するために通常用いられるメッセージのタイプを含んでいる。この発信メッセージは、フラグ、インジケータ、フィールド、アデンダム、又は加入者局がポイントツーポイント接続で所望の放送番組を受信することを求めていることを示す他のデータを含む。この発信メッセージはパイロット信号強度メッセージと一緒に送られるが、それは、基地局が加入者局の受信信号に従って信号強度と基地局の「アクティブなセット」を調整する際に手助けとなるからである。ステップ８０４でまた、加入者局は「タイムアウト」タイマーを始動する。発信メッセージはこの状況では特に役に立つが、それはこのメッセージを用いると、これが契機となって基地局に共有放送を開始させることが可能であるからであり、またこのメッセージが、基地局が所望の番組を個別チャネル上で送信することを選ぶべきポイントツーポイントコールをセットアップするために基地局が必要とする追加の情報を含むからである。
【００９０】
ステップ８０６で、基地局はステップ８０４のサービス開始メッセージに反応する。オプションとして、要求された放送サービスを開始する以前に、加入者局及び／又は基地局は、要求されている放送番組に対してユーザが登録されているかどうか、例えば、ユーザが登録を完了している番組のリストに照らしてその番組を照合することによって検証する。登録リストは加入者局、基地局又は別の適切なサイトに保管される。
【００９１】
（オプションとして）登録をチェックした後、基地局は、所望の番組を共有チャネルを介して提供すべきか個別チャネルを介して提供すべきか選択する（ステップ８０６）。この決定は、基地局の全体的な送信電力出力、対象番組の個別放送を受信する加入者局の数、対象基地局に対するウォルシュコードの入手可能性、ネットワークの状態、リソースの入手可能性などの様々な要因を考慮してなされる。
【００９２】
共有チャネルと個別チャネルのどちらかのチャネルタイプを選択したら、基地局は選ばれたサービスを開始する。共有放送の場合、サービスを開始する行為には、基地局が所望の番組を指定された共有チャネル上で送信開始する行為が伴う。個別放送の場合、サービスを開始する行為には、次のような基地局の動作が伴う。最初に、対象基地局は、例えば、（一実施形態では）対応する情報ストリームのコピーをもう一枚要求することによって又は対象加入者局に対する番組の情報ストリームを複製することによって対象放送番組を送信する準備をする。次に、基地局は、所望の放送番組を割り当てられたチャネル上で送信開始する。また、基地局は、チャネル割り当てメッセージを送ることによってこのチャネルを加入者局に対して具体的に特定し、これで、加入者局が放送を受信開始できるようにする。このチャネル割り当てメッセージはまた、データレート、誤り訂正、外部コーディング及び他の細目などの、用いられるトラフィックチャネルの他の細目を含んでいるが、これらの細目の一部又は全てが、「サービスオプション」又は事前に決められた意味を持つ他の省略されたコードを引証することによって指定される。
【００９３】
ステップ８０８で、加入者局は、それがチャネル割り当て（要求された放送が個別チャネル上で送信中であることを示す）を受信したかどうか又はそれが共有チャネルを介して所望の番組の受信を開始したかどうか質問する。個別放送の証拠も共有放送の証拠もなければ、タイムアウトタイマーは時間切れとなって、ステップ８０８はステップ８１４に進み、加入者局は「サービス入手不可能」メッセージをユーザに対して発行する。
【００９４】
しかしながら、加入者局が指定の共有チャネル上で所望の番組が放送されたことを検出すると、ステップ８０３はステップ８１６に進み、ここで加入者局は放送の受信を開始する。それとは対照的に、基地局が個別チャネル上で所望の番組を送信したことを示すチャネル割り当てメッセージを加入者局が受信すると、ステップ８０８は図７のステップ７２４に進み、ここで加入者局は個別チャネルを介して所望の番組の受信を開始する。
【００９５】
（他の実施形態）
当業者には、情報と信号は、互いに異なった様々な技術と技法の内のどれかを用いて表されることが理解されよう。例えば、上の説明で参照されるデータ、命令、コマンド、情報、信号、ビット、記号及びチップは、電圧、電流、電磁気波、磁場もしくは磁気粒子、光場もしくは光粒子又はこれらの何らかの組み合わせによって表される。
【００９６】
当業者にはさらに、本書に開示する実施形態に関連して記述された様々な解説的な論理ブロック、モジュール、回路及びアルゴリズムのステップは、電子ハードウエア、コンピュータソフトウエア又はこれら双方の組み合わせとして実現されることが理解されよう。このハードウエアとソフトウエアの互換性を明瞭に解説するために、様々な解説的なコンポーネント、ブロック、モジュール、回路及びステップを概してこれらの機能性という点で上に説明した。このような機能性がハードウエアとして実現されるかソフトウエアとして実現されるかは、特定的な応用と全体的なシステムに課せられた設計上の制約によって決まる。当業者なら、説明したこれらの機能性を特定的な応用毎に様々な方法で実現するであろうが、どのように実現するとしても、それは、本発明の範囲からの逸脱を引き起こすものと解釈すべきではない。
【００９７】
本書に開示する実施形態に関連して記述された様々な解説的な論理ブロック、モジュール、及び回路は、汎用プロセッサ、ディジタル信号プロセッサ（ＤＳＰ）、特定用途向け集積回路（ＡＳＩＣ）、フィールドプログラマブルゲートアレイ（ＦＰＧＡ）もしくは他のプログラム可能論理デバイス、ディスクリートゲートもしくはトランジスタロジック、ディスクリートハードウエアコンポーネント又は本書に記載する機能を実行するように設計されたこれらの何らかの組み合わせによって実現又は実施される。汎用プロセッサはマイクロプロセッサであるが、代替例では、プロセッサは何らかの従来型のプロセッサ、コントローラ、マイクロコントローラ又は状態機械である。プロセッサはまた、計算デバイスの組み合わせ、例えば、ＤＳＰとマイクロプロセッサの組み合わせ、複数のマイクロプロセッサ、ＤＳＰコアと連動している１つ以上のマイクロプロセッサ又は他のいずれかのこのような構成として実現される。
【００９８】
本書に開示する実施形態に関連して説明した方法又はアルゴリズムのステップは、ハードウエアに直接的に、プロセッサによって実行されるソフトウエアモジュールに又はこれら両社の組み合わせに実現される。ソフトウエアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能ディスク、ＣＤ−ＲＯＭ又は技術上周知の他の何らかの形態の記憶媒体中に常駐する。例示の記憶媒体はプロセッサに結合されており、これで、プロセッサは記憶媒体から情報を読み取ったりこれに情報を書き込んだりすることが可能となるようになっている。代替例では、記憶媒体はプロセッサと一体になっている。プロセッサと記憶媒体はＡＳＩＣ中に常駐する。
【００９９】
さらに、ここに開示する実施形態の上の説明は、どの当業者でも本発明を作成又は利用することが可能となるように提供されている。これらの実施形態の様々な修正が当業者には容易に明らかであろうし、また、本書に定義する一般的な原理は、本発明の精神や範囲から逸脱することなく他の実施形態に応用される。したがって、本発明は本書に示す実施形態に限られることを意図せず、この原理に矛盾しない最も広い範囲と本書に開示する新規な特徴を与えられるべきものである。
【０１００】
「例示の」という言葉は、本書では、「例として、事例として又は解説として役に立つ」を意味するように用いられる。「例示の」として本書に記載するどの実施形態も、他の実施形態より好ましい又は利点があるとは必ずしも解釈すべきではない。
【図面の簡単な説明】
【０１０１】
【図１】無線通信網におけるいくつかのハードウエアコンポーネントと相互接続とのブロック図である。
【図２】例示のディジタルデータ処理マシンの図である。
【図３】例示の信号担持媒体の図である。
【図４】無線遠隔装置として実現された加入者局におけるハードウエアコンポーネントと相互接続とのブロック図である。
【図５Ａ】加入者局の動作状態を示す状態図である。
【図５Ｂ】アイドリング状態と、アクセス状態と、トラフィック状態中において加入者局と基地局との間で交換される様々なメッセージを示すブロック図である。
【図５Ｃ】アイドリング状態と、アクセス状態と、トラフィック状態中において加入者局と基地局との間で交換される様々なメッセージを示すブロック図である。
【図５Ｄ】アイドリング状態と、アクセス状態と、トラフィック状態中において加入者局と基地局との間で交換される様々なメッセージを示すブロック図である。
【図６】無線通信網において放送番組の入手可能性を判別することに関連する動作を示すフローチャートである。
【図７】所望の放送サービスが専用通信チャネルを介して入手可能である無線通信網においてサービスを確立する動作を示すフローチャートである。
【図８】所望の放送サービスが共有通信チャネルを介して入手可能である場合に無線通信網においてサービスを確立する動作を示すフローチャートである。
【図９】放送システムパラメータメッセージ（ＢＳＰＭ）の例示のレイアウトとコンテンツとを示す図である。
【図１】
0004490280.tif 000002
【図２】
0004490280.tif 000003
【図３】
0004490280.tif 000004
【図４】
0004490280.tif 000005
【図５Ａ】
0004490280.tif 000006
【図５Ｂ】
0004490280.tif 000007
【図５Ｃ】
0004490280.tif 000008
【図５Ｄ】
0004490280.tif 000009
【図６】
0004490280.tif 000010
【図７】
0004490280.tif 000011
【図８】
0004490280.tif 000012
【図９】
0004490280.tif 000013